(57)【要約】【課題】配設経路の幅を広げることなく、配線・配管材の本数を増やすことができる、配線・配管材の多段配設装置を提供する。【解決手段】配線・配管材の多段配設装置３は、上方に開口する溝部７を有して、配設面１に設置される台座５と、溝部７に取り付けられて下段の配線・配管材２ａを保持する下段保持具８と、上段配設経路形成部材６とを、備える。上段配設経路形成部材６は、溝部７の長手方向に間隔をあけて台座５から上方に向けて立ち上がる一対の脚部６ａ、６ａと、それら脚部６ａ、６ａの上端側を繋ぎ上段の配線・配管材２ｂが配置される上段形成部６ｂとを備える。下段保持具８は、溝部７の長手方向からの操作により下段の配線・配管材２ａを保持したり解除したりする操作部８ｂを有する。脚部６ａは、操作部８ｂを脚部６ａの外側に臨ませる貫通孔６ｆを有する。【選択図】  図１
2019022317.tif 000002
【特許請求の範囲】
【請求項１】
上方に開口する溝部を有して、配設面に設置される台座と、
前記溝部に取り付けられて下段の配線・配管材を保持する下段保持具と、
前記下段保持具に保持される下段の配線・配管材よりも上方に上段の配線・配管材を配設するために、前記台座に取付け固定される上段配設経路形成部材とを、備え、
前記上段配設経路形成部材は、前記溝部に取り付けられた下段保持具を挟むようにして前記溝部の長手方向に間隔をあけて前記台座から上方に向けて立ち上がるように前記台座に取付け固定される一対の脚部と、それら脚部の上端側を繋ぎ前記上段の配線・配管材が配置される上段形成部とを備え、
前記下段保持具は、前記溝部の長手方向からの操作により前記下段の配線・配管材の保持状態とその保持状態を解除した解除状態とを切り換える操作部を有し、
前記脚部は、その脚部の外側から工具を差し入れて前記操作部を操作できるよう、前記操作部を脚部の外側に臨ませる開口部を有する、配線・配管材の多段配設装置。
【請求項２】
上方に開口する溝部を有する台座が、配設面に間隔をあけて複数設置され、
前記台座の溝部に下段保持具が取り付けられ、
下段の配線・配管材が、前記下段保持具によって保持されて複数の前記台座に架け渡されるように配設された、下段配設経路が設けられ、また、
前記溝部に取り付けられた下段保持具を挟むようにして前記溝部の長手方向に間隔をあけて前記台座から上方に向けて立ち上がるように、前記台座に一対の脚部が、取付け固定され、
前記下段配設経路の上方に、前記一対の脚部の上端側を繋ぎ前記溝部の長手方向に延びる上段形成部が、配置され、
上段の配線・配管材が、前記上段形成部に架け渡されるように配設された、上段配設経路が設けられ、
前記下段保持具は、前記溝部の長手方向からの操作により前記下段の配線・配管材の保持状態とその保持状態を解除した解除状態とを切り換える操作部を有し、
前記脚部は、その脚部の外側から工具を差し入れて前記操作部を操作できるよう、前記操作部を脚部の外側に臨ませる逃がし空間を有する、配線・配管材の多段配設構造。
【請求項３】
前記逃がし空間は、開口部からなる、請求項２に記載の配線・配管材の多段配設構造。
【請求項４】
前記上段形成部には、前記下段保持具と同一の保持具を取り付け可能な、上方に開口する上段溝部が設けられ、
前記上段溝部に上段保持具が取り付けられ、その上段保持具によって、前記上段の配線・配管材が保持される、請求項２または３に記載の配線・配管材の多段配設構造。
【請求項５】
前記上段形成部には、前記下段保持具の前記溝部への取り付け機構と同一の取り付け機構を有する、上方に開口する上段溝部が設けられ、
前記上段溝部に上段保持具が取り付けられ、その上段保持具によって、前記上段の配線・配管材が保持される、請求項２または３に記載の配線・配管材の多段配設構造。
【請求項６】
前記上段形成部は、板状に形成され、
前記上段の配線・配管材は、その上段の配線・配管材を前記上段形成部とともに巻き付け固定するバンド部材によって前記上段形成部に保持される、請求項２または３に記載の配線・配管材の多段配設構造。
【発明の詳細な説明】
【技術分野】
【０００１】
この発明は、配線・配管材の本数を増やすことができる、配線・配管材の多段配設装置、および配線・配管材の多段配設構造に関するものである。
【背景技術】
【０００２】
従来、屋上等の配設面に配線・配管材を配設するにあたって、配線・配管材が架け渡される設置具が用いられた（例えば、特許文献１、２参照）。この設置具は、配設面に載置されるブロック状の台座と、その台座の上面に設けられた溝状のレールと、そのレールに取り付けられて配線・配管材を保持する保持具とからなっていた。
【先行技術文献】
【特許文献】
【０００３】
【特許文献１】特開２０１５−１５４５３７号公報
【特許文献２】特開２００３−１４８６５７号公報
【発明の概要】
【発明が解決しようとする課題】
【０００４】
ところで、前記従来の設置具にあっては、配設する配線・配管材の本数が多い場合には、設置具の数を増やしたり、レールを長くしたりして、配線・配管材の配設経路を横に増やすことで対応することとなった。しかし、この方法では、幅を取り、人が、配線・配管材の配設経路を跨ぐことが困難となる虞があった。
【０００５】
この発明は、上記した従来の欠点を解決するためになされたものであり、その目的とするところは、配設経路の幅を広げることなく、配線・配管材の本数を増やすことができる、配線・配管材の多段配設構造、および配線・配管材の多段配設装置を提供することにある。
【課題を解決するための手段】
【０００６】
この発明に係る配線・配管材の多段配設装置、および配線・配管材の多段配設構造は、前記目的を達成するために、次の構成からなる。すなわち、
請求項１に記載の発明に係る配線・配管材の多段配設装置は、上方に開口する溝部を有して、配設面に設置される台座と、前記溝部に取り付けられて下段の配線・配管材を保持する下段保持具と、前記下段保持具に保持される下段の配線・配管材よりも上方に上段の配線・配管材を配設するために、前記台座に取付け固定される上段配設経路形成部材とを、備える。ここで、前記上段配設経路形成部材は、前記溝部に取り付けられた下段保持具を挟むようにして前記溝部の長手方向に間隔をあけて前記台座から上方に向けて立ち上がるように前記台座に取付け固定される一対の脚部と、それら脚部の上端側を繋ぎ前記上段の配線・配管材が配置される上段形成部とを備える。そして、前記下段保持具は、前記溝部の長手方向からの操作により前記下段の配線・配管材の保持状態とその保持状態を解除した解除状態とを切り換える操作部を有し、前記脚部は、その脚部の外側から工具を差し入れて前記操作部を操作できるよう、前記操作部を脚部の外側に臨ませる開口部を有する。
【０００７】
この配線・配管材の多段配設装置によると、配設面に間隔をあけて設置される複数の台座の溝部に下段保持具が取り付けられ、下段の配線・配管材が、その下段保持具によって保持されて複数の台座に架け渡されるように配設される。そして、各台座に取付け固定される一対の脚部の上端側を繋ぐ上段形成部のそれぞれに、上段の配線・配管材が架け渡されるように配設される。こうして、下段の配線・配管材が配設された下段配設経路の上方に、上段の配線・配管材が配設された上段配設経路が設けられる。ここで、下段保持具は、下段の配線・配管材の保持状態とその保持状態を解除した解除状態とを切り換える操作部を有しており、脚部は、操作部をその脚部の外側に臨ませる開口部を有している。このため、脚部の外側から開口部に工具を差し入れて操作部を操作することで、下段保持具による下段の配線・配管材の保持状態を解除して、下段の配線・配管材を取り外したり、その後に、改めて下段の配線・配管材を取り付けたりすることができる。つまり、上段形成部に配置された上段の配線・配管材をそのままにして、下段の配線・配管材のみを交換したり、修繕したり、除去したりすることができる。
【０００８】
また、請求項２に記載の発明に係る配線・配管材の多段配設構造は、上方に開口する溝部を有する台座が、配設面に間隔をあけて複数設置され、前記台座の溝部に下段保持具が取り付けられ、下段の配線・配管材が、前記下段保持具によって保持されて複数の前記台座に架け渡されるように配設された、下段配設経路が設けられる。そして、前記溝部に取り付けられた下段保持具を挟むようにして前記溝部の長手方向に間隔をあけて前記台座から上方に向けて立ち上がるように、前記台座に一対の脚部が、取付け固定され、前記下段配設経路の上方に、前記一対の脚部の上端側を繋ぎ前記溝部の長手方向に延びる上段形成部が、配置され、上段の配線・配管材が、前記上段形成部に架け渡されるように配設された、上段配設経路が設けられる。そこで、前記下段保持具は、前記溝部の長手方向からの操作により前記下段の配線・配管材の保持状態とその保持状態を解除した解除状態とを切り換える操作部を有し、前記脚部は、その脚部の外側から工具を差し入れて前記操作部を操作できるよう、前記操作部を脚部の外側に臨ませる逃がし空間を有する。
【０００９】
この配線・配管材の多段配設構造によると、配設面に間隔をあけて設置される複数の台座の溝部に下段保持具が取り付けられ、下段の配線・配管材が、その下段保持具によって保持されて複数の台座に架け渡されるように配設される。そして、各台座に取付け固定される一対の脚部の上端側を繋ぐ上段形成部のそれぞれに、上段の配線・配管材が架け渡されるように配設される。こうして、下段の配線・配管材が配設された下段配設経路の上方に、上段の配線・配管材が配設された上段配設経路が設けられる。ここで、下段保持具は、下段の配線・配管材の保持状態とその保持状態を解除した解除状態とを切り換える操作部を有しており、脚部は、操作部をその脚部の外側に臨ませる逃がし空間を有している。このため、脚部の外側から逃がし空間に工具を差し入れて操作部を操作することで、下段保持具による下段の配線・配管材の保持状態を解除して、下段の配線・配管材を取り外したり、その後に、改めて下段の配線・配管材を取り付けたりすることができる。つまり、上段形成部に配置された上段の配線・配管材をそのままにして、下段の配線・配管材のみを交換したり、修繕したり、除去したりすることができる。
【００１０】
また、請求項３に記載の発明に係る配線・配管材の多段配設構造は、請求項２に記載の多段配設構造において、前記逃がし空間は、開口部からなる。
【００１１】
また、請求項４に記載の発明に係る配線・配管材の多段配設構造は、請求項２または３に記載の多段配設構造において、前記上段形成部には、前記下段保持具と同一の保持具を取り付け可能な、上方に開口する上段溝部が設けられ、前記上段溝部に上段保持具が取り付けられ、その上段保持具によって、前記上段の配線・配管材が保持される。
【００１２】
また、請求項５に記載の発明に係る配線・配管材の多段配設構造は、請求項２または３に記載の多段配設構造において、前記上段形成部には、前記下段保持具の前記溝部への取り付け機構と同一の取り付け機構を有する、上方に開口する上段溝部が設けられ、前記上段溝部に上段保持具が取り付けられ、その上段保持具によって、前記上段の配線・配管材が保持される。
【００１３】
また、請求項６に記載の発明に係る配線・配管材の多段配設構造は、請求項２または３に記載の多段配設構造において、前記上段形成部は、板状に形成され、前記上段の配線・配管材は、その上段の配線・配管材を前記上段形成部とともに巻き付け固定するバンド部材によって前記上段形成部に保持される。
【発明の効果】
【００１４】
この発明に係る配線・配管材の多段配設装置、および配線・配管材の多段配設構造によれば、下段配設経路の上方に、上段配設経路を設けることで、配設経路の幅を広げることなく、配線・配管材の本数を増やすことができる。
【００１５】
また、下段保持具に設けられた操作部が、脚部の外側に臨むことから、脚部の外側から工具を差し入れて操作部を操作することで、上段形成部に配置された上段の配線・配管材をそのままにして、下段の配線・配管材のみを交換したり、修繕したり、除去したりすることができる。
【図面の簡単な説明】
【００１６】
【図１】この発明の一実施の形態の、配線・配管材の多段配設構造の斜視図である。
【図２】同じく、配線・配管材の多段配設装置の斜視図である。
【図３】同じく、上段溝部形成体および上段保持具を除いた、配線・配管材の多段配設装置の斜視図である。
【図４】同じく、上段溝部形成体および上段保持具を除いた、配線・配管材の多段配設装置の縦断面図である。
【図５】同じく、台座に保持具を取り付けた斜視図である。
【図６】同じく、台座の斜視図である。
【図７】同じく、溝部形成体の斜視図である。
【図８】同じく、下段保持具の斜視図である。
【図９】同じく、上段配設経路形成部材の斜視図である。
【図１０】この発明の他の実施の形態の、図１相当図である。
【図１１】この発明の第１変形例を示す、図３相当図である。
【図１２】この発明の第２変形例を示す、図３相当図である。
【発明を実施するための形態】
【００１７】
以下、この発明に係る配線・配管材の多段配設装置、および配線・配管材の多段配設構造を実施するための形態を図面に基づいて説明する。
【００１８】
図１〜図９は、本発明の一実施の形態を示す。図中符号１は、建物の屋上とか建造物の床面等、その他の配設面を示す。２は、配線・配管材（配線材または配管材）を示す。３は、配線・配管材の多段配設装置を示す。４は、配線・配管材の多段配設構造を示す。
【００１９】
配線・配管材の多段配設装置３は、台座５と下段保持具８と上段配設経路形成部材６とを備える。ここで、台座５は、配設面１に設置されるものであって、上方に開口する溝部７を有する。下段保持具８は、前記溝部７に取り付けられて配線・配管材２としての下段の配線・配管材２ａを保持するものである。また、上段配設経路形成部材６は、下段保持具８に保持される下段の配線・配管材２ａよりも上方に配線・配管材２としての上段の配線・配管材２ｂを配設するために、台座５に取付け固定されるものである。この上段配設経路形成部材６は、溝部７に取り付けられた下段保持具８を挟むようにして溝部７の長手方向に間隔をあけて台座５から上方に向けて立ち上がるように台座５に取付け固定される一対の脚部６ａ、６ａと、それら脚部６ａ、６ａの上端側を繋ぎ上段の配線・配管材２ｂが配置される上段形成部６ｂとを備えている。
【００２０】
そして、前記下段保持具８は、溝部７の長手方向からの操作により下段の配線・配管材２ａの保持状態とその保持状態を解除した解除状態を切り替える操作部８ｂを有している。そこで、前記脚部６ａは、その脚部６ａの外側から工具を差し入れて操作部８ｂを操作できるよう、操作部８ｂを脚部６ａの外側に臨ませる逃がし空間、詳しくは、開口部６ｅ（図示実施の形態においては、逃がし空間あるいは開口部６ｅとしての、貫通孔６ｆ）を有する。
【００２１】
詳細には、上段配設経路形成部材６においては、一対の脚部６ａ、６ａは、台座５に設けられた溝部７の両端よりも外側に位置する。そして、一対の脚部６ａ、６ａを繋ぐ上段形成部６ｂにあっては、その上段形成部６ｂに、上段の配線・配管材２ｂを保持する上段保持具９を取り付けるための、上方に開口する上段溝部１０が設けられる。ここにおいて、上段形成部６ｂは、台座５に備わる溝部７の長手方向に延びるよう設けられ、上段溝部１０もまた、溝部７の長手方向に延びるよう設けられる。
【００２２】
配線・配管材の多段配設構造４は、前述の多段配設装置３を用いるものであって、前記台座５が、配設面１に間隔をあけて複数設置される。そして、台座５の溝部７に下段保持具８が取り付けられ、下段の配線配管材２ａが、下段保持具８によって保持されて複数の台座５、５に架け渡されるように配設された、下段配設経路２０１が設けられる。また、溝部７に取り付けられた下段保持具８を挟むようにして溝部７の長手方向に間隔をあけて台座５から上方に向けて立ち上がるように、台座５に一対の脚部６ａ、６ａが、取付け固定される。そして、下段配設経路２０１の上方に、一対の脚部６ａ、６ａの上端側を繋ぎ溝部７の長手方向に延びる上段形成部６ｂが、配置され、上段の配線・配管材２ｂが、上段形成部６ｂに架け渡されるように配設された、上段配設経路２０２が設けられる。図示実施の形態においては、上段形成部６ｂに上段溝部１０が設けられ、その上段溝部１０に取り付けられた上段保持具９によって、上段の配線・配管材２ｂが保持される。このため、上段の配線・配管材２ｂは、これら上段溝部１０および上段保持具９を介して、上段形成部６ｂに架け渡される。ここで、上段配設経路２０２は、下段配設経路２０１の上方に、その下段配設経路２０１に沿うように設けられる。
【００２３】
そして、この多段配設構造４においても、下段保持具８は、前述の操作部８ｂを有し、脚部６ａは、前述の逃がし空間（詳しくは、脚部６ａに設けられた開口部６ｅ）を有する。
【００２４】
また、多段配設装置３および多段配設構造４においては、上段形成部６ｂに設けられた上段溝部１０は、下段保持具８と同一の保持具を取り付け可能となっており、その上段溝部１０に上段保持具９が取り付けられ、その上段保持具９によって、上段の配線・配管材２ｂが保持される。こうして、上段溝部１０が、下段保持具８と同一の保持具を取り付け可能となることから、下段保持具８と上段保持具９とを共通化あるいは共用化することが可能となる。なお、ここにおいて、上段溝部１０は、下段保持具８と同一の保持具を取り付け可能となっているのであれば、それに加えて、下段保持具８とは異なる保持具を取り付け可能となっていても構わない。
【００２５】
さらに、上段形成部６ｂに設けられた上段溝部１０は、下段保持具８の溝部７への取り付け機構（後述する係合部７ａ）と同一の取り付け機構（後述する係合部１０ａ）を有し、その上段溝部１０に上段保持具９が取り付けられ、その上段保持具９によって、上段の配線・配管材２ｂが保持される。
【００２６】
具体的には、台座５は、横長となる略直方体形状の台座本体５ａと、前記溝部７を形成する溝部形成体７ｘとを備える。台座本体５ａは、上面に、その台座本体５ａの長手方向に沿って延びる溝５ｂを有して、内部には、錘となるコンクリートブロック５ｃが収容されている（図４参照）。溝部形成体７ｘは、台座本体５ａの溝５ｂに嵌められ、ビス等の固着具１１により台座本体５ａに固定される。このとき、溝部形成体７ｘは、台座本体５ａの溝５ｂの両端部分に達することがなく、その両端部分が、脚部６ａ（上段配設経路形成部材６）を取付け固定するための固定部５ｄとなっている。この溝部形成体７ｘは、溝部７を形成するように、上方に開口する断面略コ字形状をして、溝５ｂに沿って延びている。そして、この溝部形成体７ｘ、ひいては溝部７は、断面略コ字形状の両先端から、互いに向かい合う側に延びて若干下方に折れ曲がって形成された係合部７ａを有する。
【００２７】
そこで、これら係合部７ａ、７ａに、下段保持具８（詳しくは、下段保持具８に設けられる被係合部８ａ）が、下から係合し、その下段保持具８は、溝部形成体７ｘ（溝部７）に、その延びる方向の任意位置に支持される。
【００２８】
下段保持具８は、二つの分割保持体８ｃ、８ｃと、締付ボルト８ｄを備える。そこで、この締付ボルト８ｄの頭部が、前記操作部８ｂとなる。分割保持体８ｃ、８ｃは、互いに対称に形成されて、両側から下段の配線・配管材２ａを挟むように、下段の配線・配管材２ａの周面に沿って湾曲して形成される。そして、各分割保持体８ｃの下部には、両側に突出するようにして前述の被係合部８ａが設けられ、また、上部には、前記締付ボルト８ｄを取り付けるための取付部８ｅが設けられる。
【００２９】
つまり、各取付部８ｅには、取付孔８ｆがあけられ、両取付孔８ｆ、８ｆを挿通する締付ボルト８ｄを締め付けることで、両分割保持体８ｃ、８ｃが、下段の配線・配管材２ａを挟み込むとともに、下段の配線・配管材２ａを台座５の上面（詳しくは、溝部形成体７ｘ（溝部７）の上面）に押さえつけ、これによって、溝部７の係合部７ａ、７ａに係合した両分割保持体８ｃ、８ｃ（つまり、下段保持具８）は、溝部７に取り付けられ、また、下段の配線・配管材２ａは、下段保持具８に保持されて、台座５に取り付けられる。
【００３０】
上段配設経路形成部材６は、一対の脚部６ａ、６ａと上段形成部６ｂとで、門形に形成されている。脚部６ａは、その下端側が、台座５に固定される被固定部６ｃとなっている。図示実施の形態においては、被固定部６ｃは、外側にＬ字状に折れ曲がって形成され、その被固定部６ｃには、ボルト等の固着具１２が通る通孔６ｄがあけられている。そこで、固着具１２が通孔６ｄを通って台座５（詳しくは、前記固定部５ｄ）にねじ込まれることで、脚部６ａ、ひいては上段配設経路形成部材６は、台座５に取付け固定される。そして、この脚部６ａに設けられた前述の貫通孔６ｆは、縦長の長孔状に形成されており、操作部８ｂの高さ位置の変更に対応可能となっている。なお、前述の溝部７（溝部形成体７ｘ）は、両端が開放しており、脚部６ａは、溝部７の両端の開放箇所を覆うようにして、台座５に固定される。
【００３１】
また、多段配設装置３とか多段配設構造４は、前記上段溝部１０を形成する上段溝部形成体１０ｘを備える。この上段溝部形成体１０ｘは、ビス等の固着具１３により、上段形成部６ｂに取付け固定される。この上段溝部形成体１０ｘは、前述の溝部形成体７ｘと同様の構成を有し、上段溝部１０を形成するように、上方に開口する断面略コ字形状をして、溝部形成体７ｘ（溝部７）に沿って延びている。そして、この上段溝部形成体１０ｘ、ひいては上段溝部１０は、断面略コ字形状の両先端から、互いに向かい合う側に延びて若干下方に折れ曲がって形成された係合部１０ａを有する。
【００３２】
そこで、係合部１０ａに、上段保持具９（詳しくは、上段保持具９に設けられる被係合部９ａ）が、下から係合し、その上段保持具９は、上段溝部形成体１０ｘ（上段溝部１０）に、その延びる方向の任意位置に支持される。
【００３３】
上段保持具９は、下段保持具８と同様の構成を有する。すなわち、上段保持具９は、二つの分割保持体９ｃ、９ｃと、締付ボルト９ｄを備える。分割保持体９ｃ、９ｃは、互いに対称形状に形成されて、両側から上段の配線・配管材２ｂを挟むように、上段の配線・配管材２ｂの周面に沿って湾曲して形成される。そして、各分割保持体９ｃの下部には、両側に突出するようにして前述の被係合部９ａが設けられ、また、上部には、締付ボルト９ｄを取り付けるための取付部９ｅが設けられる。
【００３４】
つまり、各取付部９ｅには、取付孔９ｆがあけられ、両取付孔９ｆ、９ｆを挿通する締付ボルト９ｄを締め付けることで、両分割保持体９ｃ、９ｃが、上段の配線・配管材２ｂを挟み込むとともに、上段の配線・配管材２ｂを上段溝部形成体１０ｘ（上段溝部１０）の上面に押さえつけ、これによって、上段溝部１０の係合部１０ａに係合した両分割保持体９ｃ、９ｃ（つまり、上段保持具９）は、上段溝部１０に取り付けられ、また、上段の配線・配管材２ｂは、上段保持具９に保持されて、上段形成部６ｂに取り付けられる。
【００３５】
次に、以上の構成からなる配線・配管材の多段配設装置３、および配線・配管材の多段配設構造４の作用効果について説明する。この多段配設装置３、および多段配設構造４によると、配設面１に間隔をあけて設置される複数の台座５、５の溝部７に下段保持具８が取り付けられ、下段の配線・配管材２ａが、その下段保持具８によって保持されて複数の台座５、５に架け渡されるように配設される。そして、各台座５、５に取付け固定される一対の脚部６ａの上端側を繋ぐ上段形成部６ｂのそれぞれに、上段の配線・配管材２ｂが架け渡されるように配設される。こうして、下段の配線・配管材２ａが配設された下段配設経路２０１の上方に、上段の配線・配管材２ｂが配設された上段配設経路２０２が設けられる。すなわち、下段配設経路２０１の上方に、上段配設経路２０２を設けることで、配設経路の幅を広げることなく、配線・配管材の本数を増やすことができ、また、配設経路の幅が広がらないことから、人が配線・配管材を跨ぎやすい。
【００３６】
また、一対の脚部６ａ、６ａは、台座５における溝部７の両端よりも外側に位置する。このため、溝部７に下段保持具８を取り付けるにあたって、溝部７の長さ全体を、脚部６ａに妨げられることなく利用することができる。また、脚部６ａが溝部７の両端の開放箇所を覆うことで、溝部７に取り付けられる下段保持具８が、溝部７の両端の開放箇所から抜け出ることがない。
【００３７】
また、下段保持具８は、下段の配線・配管材２ａの保持状態とその保持状態を解除した解除状態とを切り換える操作部８ｂを有しており、脚部６ａは、操作部８ｂをその脚部６ａの外側に臨ませる貫通孔６ｆ（開口部６ｅ、逃がし空間）を有している。このため、脚部６ａの外側から貫通孔６ｆ（開口部６ｅ、逃がし空間）に工具を差し入れて操作部８ｂを操作することで、下段保持具８による下段の配線・配管材２ａの保持状態を解除して、下段の配線・配管材２ａを取り外したり、その後に、改めて下段の配線・配管材２ａを取り付けたりすることができる。つまり、下段保持具８に設けられた操作部８ｂが、脚部６ａの外側に臨むことから、脚部６ａの外側から工具を差し入れて操作部８ｂを操作することで、上段形成部６ｂに配置された上段の配線・配管材２ｂをそのままにして、下段の配線・配管材２ａのみを交換したり、修繕したり、除去したりすることができる。
【００３８】
なお、本発明は、上述した実施の形態に限定されるわけではなく、その他種々の変更が可能である。例えば、上段溝部１０は、下段保持具８と同一の保持具を取り付け可能となっていなくてもよい。また、上段溝部１０は、下段保持具８の溝部７への取り付け機構と同一の取り付け機構を有するものでなくてもよい。
【００３９】
また、上段形成部６ｂと上段溝部１０（上段溝部形成体１０ｘ）とは、別体となっているが、一体に形成されてもよい。
【００４０】
また、上段形成部６ｂには、上段溝部１０が設けられているが、図１０に示すように、この上段溝部１０は、設けられなくてもよい。ここで、上段形成部６ｂは、板状に形成され、上段の配線・配管材２ｂは、その上段の配線・配管材２ｂを上段形成部６ｂとともに巻き付け固定するバンド部材１８によって上段形成部６ｂに保持される。また、図示実施の形態においては、上段形成部６ｂは、その幅方向の両端縁が、下側に折り返されており、これによって、バンド部材１８が上段形成部６ｂの端縁で傷付くのを防ぐことができる。
【００４１】
また、脚部６ａは、図１１に示すように、二本の脚片６ｘ、６ｘからなって、それら脚片６ｘ、６ｘの間が前記開口部６ｅとなってもよい。そして、図示実施の形態においては、各脚片６ｘの下端側が、被固定部６ｃとなって、その被固定部６ｃが、ボルト等の固着具１２により台座５に固定される。
【００４２】
また、脚部６ａにおける逃がし空間は、開口部６ｅでなくても、脚部６ａが切り欠かれたり、湾曲したりして設けられるものであってもよい。
【００４３】
また、脚部６ａは、その下端側が、台座５に取付け固定される被固定部６ｃとなるが、図１２に示すように、その被固定部６ｃが、溝部７よりも下方で、台座５に固定されてもよい。図示実施の形態においては、被固定部６ｃは、折れ曲がることなく、真直ぐ下方に延びて、台座５の側面に、ボルト等の固着具１２を用いて固定される。
【００４４】
また、上段配設経路形成部材６は、一対の脚部６ａ、６ａと上段形成部６ｂとが一体に形成されているが、それら一対の脚部６ａ、６ａと上段形成部６ｂとは、別体に形成されて互いに組み付けられてもよい。
【００４５】
また、操作部８ｂは、下段保持具８による下段の配線・配管材２ａの保持とその解除を操作できるものであればよく、締付ボルト８ｄの頭部に限るものではない。
【符号の説明】
【００４６】
１  配設面
２ａ  下段の配線・配管材
２ｂ  上段の配線・配管材
２０１  下段配設経路
２０２  上段配設経路
３  多段配設装置
４  多段配設構造
５  台座
６  上段配設経路形成部材
６ａ  脚部
６ｂ  上段形成部
６ｅ  開口部
７  溝部
８  下段保持具
８ｂ  操作部
９  上段保持具
１０  上段溝部
１８  バンド部材
【図１】
2019022317.tif 000003
【図２】
2019022317.tif 000004
【図３】
2019022317.tif 000005
【図４】
2019022317.tif 000006
【図５】
2019022317.tif 000007
【図６】
2019022317.tif 000008
【図７】
2019022317.tif 000009
【図８】
2019022317.tif 000010
【図９】
2019022317.tif 000011
【図１０】
2019022317.tif 000012
【図１１】
2019022317.tif 000013
【図１２】
2019022317.tif 000014